(57)【要約】【課題】電子コンテンツにハイライト表示及びドローイング表示などユーザデータを表示して電子コンテンツとともに保存できる装置及び方法を提供することを目的とする。【解決手段】本発明は、電子装置の動作方法において、電子コンテンツの少なくとも１つの部分に、ハイライト（ｈｉｇｈｌｉｇｈｔ）表示及びドローイング（ｄｒａｗｉｎｇ）表示のうち少なくとも１つの表示を入力される過程と、及び前記電子コンテンツと前記入力された少なくとも１つの表示をともに保存する過程とをその構成上の特徴とするユーザデータを入力及び管理できる電子装置及び方法に関する。【選択図】図１
2013222458.tif 000002
【特許請求の範囲】
【請求項１】
電子装置の動作方法において、
電子コンテンツの少なくとも１つの部分に、ハイライト（ｈｉｇｈｌｉｇｈｔ）表示及びドローイング（ｄｒａｗｉｎｇ）表示のうち少なくとも１つの表示が入力される過程と、
前記電子コンテンツと前記入力された少なくとも１つの表示をともに保存する過程とを含むことを特徴とする方法。
【請求項２】
保存された少なくとも１つの電子コンテンツの中からいずれか１つが選択される過程と、
前記選択された電子コンテンツを実行するようにする命令が入力される過程と、
前記命令を入力された電子コンテンツを表示する過程とをさらに含むことを特徴とする請求項１に記載の方法。
【請求項３】
前記ハイライト表示が入力される過程は、
前記電子コンテンツのテキストの中から特定のテキストが選択される過程と、
前記選択されたテキストが選択されると同時に、色、影付き、下線、傾斜及び太さのうち少なくとも１つで強調する過程とを含むことを特徴とする請求項１又は２に記載の方法。
【請求項４】
前記強調された第１テキストの最後の部分から始まる強調されていない第２テキストが選択される過程と、
前記選択された第２テキストを選択されると同時に、色、影付き、下線、傾斜及び太さのうち少なくとも１つで強調する過程と、
前記第１テキストのハイライト表示と前記第２テキストのハイライト表示を連結する過程とをさらに含むことを特徴とする請求項３に記載の方法。
【請求項５】
前記強調された第１テキストのうち任意の部分が第３テキスト及び第４テキストにドラッグ（ｄｒａｇ）されることを確認する過程；及び
前記第１テキストのハイライト表示が第３テキストのハイライト表示及び第４テキストのハイライト表示に分離されることを確認する過程とをさらに含むことを特徴とする請求項３に記載の方法。
【請求項６】
前記ハイライト表示が入力される過程は、
前記電子コンテンツの画像の中から特定の画像が選択される過程と、
前記選択された画像の枠を強調する過程とを含むことを特徴とする請求項１に記載の方法。
【請求項７】
前記ハイライト表示が入力される過程は、
前記電子コンテンツの動画の中から特定の動画が選択される過程と、
前記選択された動画が含まれた動画プレーヤの枠を強調する過程とを含むことを特徴とする請求項１に記載の方法。
【請求項８】
前記選択された動画が含まれた動画プレーヤの枠を強調する過程は、
前記選択された動画を表示する過程と、
前記表示されている動画の任意の区間が選択される過程と、
前記選択された区間を抽出する過程と、
前記抽出された区間の動画を保存する過程とを含むことを特徴とする請求項７に記載の方法。
【請求項９】
前記ドローイング表示が入力される過程は、
前記電子コンテンツのテキスト及び画像のうち少なくとも１つの部分に線、図形、絵及び文字のうち少なくとも１つが入力される過程とを含むことを特徴とする請求項１に記載の方法。
【請求項１０】
前記ドローイング表示が入力される過程は、
前記入力された座標を分析する過程と、
前記入力された移動経路を保存する過程とを含むことを特徴とする請求項９に記載の方法。
【請求項１１】
前記電子コンテンツと前記入力されたハイライト表示をともに保存するとともに、ハイライトリストを生成し、保存する過程をさらに含むことを特徴とする請求項１に記載の方法。
【請求項１２】
前記ハイライトリストを呼び出すようにする命令が入力される過程と、
前記保存されたハイライトリストを呼び出す過程と、
前記ハイライトリストを表示する過程とをさらに含むことを特徴とする請求項１１に記載の方法。
【請求項１３】
前記ハイライトリストに表示されている少なくとも１つの強調されたテキストが選択される過程と、
前記選択された少なくとも１つの強調されたテキストを削除するようにする命令が入力される過程と、
前記命令が入力された少なくとも１つの強調されたテキストを削除する過程をさらに含むことを特徴とする請求項１２に記載の方法。
【請求項１４】
前記ハイライトリストに表示されているいずれか１つの強調されたテキストが選択される過程と、
前記選択された、強調されたテキストが含まれるページに移動するようにする命令が入力される過程と、
前記強調されたテキストが含まれるページに移動する過程とをさらに含むことを特徴とする請求項１２に記載の方法。
【請求項１５】
前記電子コンテンツと前記入力されたドローイング表示をともに保存してドローイングリストを生成する過程をさらに含むことを特徴とする請求項１に記載の方法。
【請求項１６】
前記ドローイングリストを呼び出すようにする命令が入力される過程と、
前記保存されたドローイングリストを呼び出す過程と、
前記ドローイングリストを表示する過程とをさらに含むことを特徴とする請求項１５に記載の方法。
【請求項１７】
前記ドローイングリストは、
線、図形、絵及び文字のうち少なくとも１つが入力された電子コンテンツのテキスト及び画像のうち少なくとも１つの部分がそれぞれ区別されて表示されることを特徴とする請求項１５に記載の方法。
【請求項１８】
前記ドローイングリストに表示されている少なくとも１つの、線、図形、絵及び文字のうち少なくとも１つが入力された電子コンテンツのテキスト及び画像の中から少なくとも１つの部分が選択される過程と、
前記少なくとも１つの部分を削除するようにする命令を入力される過程と、
前記命令を入力された少なくとも１つの部削除する過程とをさらに含むことを特徴とする請求項１７に記載の方法。
【請求項１９】
前記ドローイングリストに表示されている少なくとも１つの、線、図形、絵及び文字のうち少なくとも１つが入力された電子コンテンツのテキスト及び画像の中からいずれか１つの部分が選択される過程と、
前記選択された部分が含まれるページに移動するようにする命令が入力される過程と、
前記選択された部分が含まれるページに移動する過程とをさらに含むことを特徴とする請求項１８に記載の方法。
【請求項２０】
電子装置において、
電子コンテンツの少なくとも１つの部分に、ハイライト（ｈｉｇｈｌｉｇｈｔ）表示及びドローイング（ｄｒａｗｉｎｇ）表示のうち少なくとも１つの表示が入力されるタッチスクリーンと、
前記電子コンテンツと前記入力された少なくとも１つの表示をともに保存するメモリとを含むことを特徴とする装置。
【請求項２１】
前記タッチスクリーンは、保存された少なくとも１つの電子コンテンツの中からいずれか１つが選択され、前記選択された電子コンテンツを実行するようにする命令を入力され、前記命令を入力された電子コンテンツを表示することを特徴とする請求項２０に記載の装置。
【請求項２２】
プロセッサユニットをさらに含み、
前記タッチスクリーンは、前記電子コンテンツのテキストの中から特定のテキストが選択される、
前記プロセッサユニットは、前記選択されたテキストを選択されると同時に、色、影付き、下線、傾斜及び太さのうち少なくとも１つで強調することを特徴とする請求項２０又は２１に記載の装置。
【請求項２３】
前記タッチスクリーンは、前記強調された第１テキストの最後の部分から始まる強調されていない第２テキストを選択され、
前記プロセッサユニットは、前記選択された第２テキストを選択されると同時に、色、影付き、下線、傾斜及び太さのうち少なくとも１つで強調し、前記第１テキストのハイライト表示と前記第２テキストのハイライト表示を連結することを特徴とする請求項２２に記載の装置。
【請求項２４】
前記プロセッサユニットは、前記強調された第１テキストのうち任意の部分が第３テキスト及び第４テキストにドラッグ（ｄｒａｇ）されることを確認し、前記第１テキストのハイライト表示が第３テキストのハイライト表示及び第４テキストのハイライト表示に分離することを特徴とする請求項２２に記載の装置。
【請求項２５】
前記タッチスクリーンは、前記電子コンテンツの画像の中から特定の画像が選択され、
前記選択された画像の枠を強調するプロセッサユニットをさらに含むことを特徴とする請求項２０に記載の装置。
【請求項２６】
前記タッチスクリーンは、前記電子コンテンツの動画の中から特定の動画が選択され、
選択された動画が含まれた動画プレーヤの枠を強調するプロセッサユニットをさらに含むことを特徴とする請求項２０に記載の装置。
【請求項２７】
プロセッサユニットをさらに含み、
前記タッチスクリーンは、前記選択された動画を表示し、前記表示されている動画の任意の区間が選択され、  前記プロセッサユニットは、前記選択された区間を抽出し、
前記メモリは、前記抽出された区間の動画を保存することを特徴とする請求項２６に記載の装置。
【請求項２８】
前記タッチスクリーンは、前記電子コンテンツのテキスト及び画像のうち少なくとも１つの部分に線、図形、絵及び文字のうち少なくとも１つが入力されることを特徴とする請求項２０に記載の装置。
【請求項２９】
前記入力された座標を分析するプロセッサユニットと、
前記入力された移動経路を保存するメモリとをさらに含むことを特徴とする請求項２８に記載の装置。
【請求項３０】
前記メモリは、前記電子コンテンツと前記入力されたハイライト表示をともに保存するとともに、生成されたハイライトリストを保存することを特徴とする請求項２０に記載の装置。
【請求項３１】
前記タッチスクリーンは、前記ハイライトリストを呼び出すようにする命令を入力され、前記ハイライトリストを表示する、ことを特徴とする請求項３０に記載の装置。
【請求項３２】
プロセッサユニットをさらに含み
前記タッチスクリーンは、前記ハイライトリストに表示されている少なくとも１つの強調されたテキストが選択され、前記選択された少なくとも１つの強調されたテキストのハイライト表示を削除するようにする命令を入力され、
前記プロセッサユニットは、前記命令を入力された少なくとも１つの強調されたテキストのハイライト表示を削除するプことを特徴とする請求項３１に記載の装置。
【請求項３３】
前記ハイライトリストに表示されているいずれか１つの強調されたテキストが選択され、前記選択された、強調されたテキストが含まれるページに移動するようにする命令を入力されるタッチスクリーンと、
前記強調されたテキストが含まれるページに移動させるプロセッサユニットとをさらに含むことを特徴とする請求項３１に記載の装置。
【請求項３４】
前記メモリは、前記電子コンテンツと前記入力されたドローイング表示をともに保存してドローイングリストを生成することを特徴とする請求項２０に記載の装置。
【請求項３５】
前記タッチスクリーンは、前記ドローイングリストを呼び出すようにする命令を入力され、前記ドローイングリストを表示し、
前記メモリは、前記保存されたドローイングリストを呼び出すことを特徴とする請求項３４に記載の装置。
【請求項３６】
前記ドローイングリストは、
線、図形、絵及び文字のうち少なくとも１つが入力された電子コンテンツのテキスト及び画像のうち少なくとも１つの部分がそれぞれ区別されて表示されることを特徴とする請求項３４に記載の装置。
【請求項３７】
前記ドローイングリストに表示されている少なくとも１つの、線、図形、絵及び文字のうち少なくとも１つが入力された電子コンテンツのテキスト及び画像のうち少なくとも１つの部分を選択され、前記少なくとも１つの部分を削除するようにする命令を入力されるタッチスクリーンと、及び
前記命令が入力された少なくとも１つの部分のドローイング表示を削除するプロセッサユニットをさらに含むことを特徴とする請求項３６に記載の装置。
【請求項３８】
前記ドローイングリストに表示されている少なくとも１つの、線、図形、絵及び文字のうち少なくとも１つが入力された電子コンテンツのテキスト及び画像の中からいずれか１つの部分が選択され、前記選択された部分が含まれるページに移動するようにする命令を入力されるタッチスクリーンと、及び
前記選択された部分が含まれるページに移動させるプロセッサユニットをさらに含むことを特徴とする請求項３６に記載の装置。
【発明の詳細な説明】
【技術分野】
【０００１】
本発明は、ユーザデータを入力及び管理できる電子装置及び方法に関する。
【背景技術】
【０００２】
電子装置の機能の発展に伴い、ユーザが１つの電子装置に様々な電子コンテンツを保存し、保存したコンテンツをユーザの望む時間及び場所で表示でき、ユーザの便宜性が向上している。例えば、ユーザは小説、詩集及び学習用専門書籍などを別途持つことなく、１つの電子装置に電子コンテンツの形で保存し、ユーザが必要な時、いつでも閲覧できる。これにより、ユーザの様々な要望に応えるために単に電子コンテンツを閲覧できる範囲を超え、電子コンテンツ上に線を引いて使用できる方案などが提示されている。
【０００３】
しかし、従来提案されていた技術は電子コンテンツ上に単に線を引く方案のみが提示されており、その保存時に元データの損傷を招くという問題点があった。また、保存されていたデータを呼び出して再閲覧する場合、閲覧時に元コンテンツのサイズが合わない場合は呼び出されたデータが損傷するという問題点などが発生している。
【０００４】
したがって、ユーザが単に電子コンテンツに単に線を引く方法を超えて星マークなど重要度の表示を施すことができ、保存されたデータを呼び出した場合にも元データの管理などを容易に行える方案の提示が早急に求められているのが実情である。
【先行技術文献】
【特許文献】
【０００５】
【特許文献１】韓国特許出願公開第１０−２００９−００１１３９５
【発明の概要】
【発明が解決しようとする課題】
【０００６】
本発明は、従来提案されていた方法の上記した問題点を解決するために提案されたものであって、電子コンテンツにハイライト表示及びドローイング表示などユーザデータを表示して電子コンテンツとともに保存できる装置及び方法を提供することを目的とする。
【０００７】
本発明の他の目的は、保存されたユーザデータをそれぞれのオブジェクト毎に表示して各々のオブジェクトを簡単に削除し、特定のオブジェクトにショートカットできるなどユーザの便宜性を向上させる装置及び方法を提供することを目的とする。
【課題を解決するための手段】
【０００８】
本発明は上記課題を解決するためになされたものであり、本発明の一態様は、電子コンテンツの少なくとも１つの部分に、ハイライト（ｈｉｇｈｌｉｇｈｔ）表示及びドローイング（ｄｒａｗｉｎｇ）表示のうち少なくとも１つの表示を入力される過程と、前記電子コンテンツと前記入力された少なくとも１つの表示をともに保存する過程とを含むことを特徴とする電子装置の動作方法である。
【０００９】
本発明の他の態様は、電子コンテンツの少なくとも１つの部分に、ハイライト（ｈｉｇｈｌｉｇｈｔ）表示及びドローイング（ｄｒａｗｉｎｇ）表示のうち少なくとも１つの表示を入力されるタッチスクリーンと、前記電子コンテンツと前記入力された少なくとも１つの表示をともに保存するメモリとを含むことを特徴とする装置である。
【図面の簡単な説明】
【００１０】
【図１】本発明によるユーザデータを入力する一実施形態を示した図である。
【図２Ａ】本発明によるハイライト表示を施し、表示したハイライト表示を連結する一実施形態を示した図である。
【図２Ｂ】本発明によるハイライト表示を施し、表示したハイライト表示を連結する一実施形態を示した図である。
【図２Ｃ】本発明によるハイライト機能が適用されたテキストがひと目で見分けられるハイライトリストの一実施形態を示した図である。
【図３】本発明によるハイライト機能が適用されたテキストを分離する一実施形態を示した図である。
【図４】本発明による特定の画像にハイライト機能を適用させる一実施形態を示した図である。
【図５】本発明によるドローイング機能を適用する一実施形態を示した図である。
【図６】ドローイング機能が適用された特定の部分を拡大した場合の一実施形態を示した図である。
【図７Ａ】本発明によるハイライトリストの一実施形態を示した図である。
【図７Ｂ】本発明によるドローイングリストの一実施形態を示した図である。
【図８】本発明によるハイライトリストを用いてハイライト機能が適用された特定のコンテンツを削除する一実施形態を示した図である。
【図９Ａ】本発明による保存されたユーザデータを呼び出した時、ユーザ定義値を復元して表示する一実施形態を示した図である。
【図９Ｂ】本発明による保存されたユーザデータを呼び出した時、ユーザ定義値を復元して表示する一実施形態を示した図である。
【図９Ｃ】本発明による保存されたユーザデータを呼び出した時、ユーザ定義値を復元して表示する一実施形態を示した図である。
【図９Ｄ】本発明による保存されたユーザデータを呼び出した時、ユーザ定義値を復元して表示する一実施形態を示した図である。
【図１０Ａ】本発明による保存されたドローイング表示を個別に削除する一実施形態を示した図である。
【図１０Ｂ】本発明による保存されたドローイング表示を個別に削除する一実施形態を示した図である。
【図１０Ｃ】本発明による保存されたドローイング表示を個別に削除する一実施形態を示した図である。
【図１０Ｄ】本発明による保存されたドローイング表示を個別に削除する一実施形態を示した図である。
【図１１】本発明の一実施形態によるユーザデータを入力及び管理できる電子装置の動作手順を示すフローチャートである。
【図１２】本発明の一実施形態による電子装置の構成を示したブロック図である。
【発明を実施するための形態】
【００１１】
以下、添付された図面を参照して本発明の属する技術分野で通常の知識を有する者が本発明を容易に実施できるように、好ましい実施形態を詳細に説明する。ただし、本発明を説明するに当たって、関連する公知機能または構成についての具体的な説明が本発明の要旨を必要もなく不明にするおそれがあると判断される場合は、その詳細な説明を省略する。また、類似した機能及び作用をする部分については図面全体にわたって同じ符号を付すこととする。
【００１２】
本発明は、ユーザデータを入力及び管理できる電子装置及び方法に関する。
【００１３】
図１は、本発明によるユーザデータを入力する一実施形態を示した図である。まず、本発明でユーザデータとはハイライト（ｈｉｇｈｌｉｇｈｔ）表示及びドローイング（ｄｒａｗｉｎｇ）表示を含むものと定義される。ここで、ハイライト表示とは、電子装置に表示されている電子コンテンツのテキストの中からユーザによって特定のテキストが選択されると、選択されたテキストは選択されると同時に、色、影付き、下線、傾斜及び太さのうち少なくとも１つで強調される機能をいう。さらに具体的には、ユーザが電子装置を用いて特定の電子コンテンツを表示して閲覧中に、特定のテキストを強調したい場合に強調したいテキストを選択して強調する機能と定義される。例えば、ユーザが電子装置に保存されている学習用電子コンテンツを閲覧中に、ユーザが後で再び見る場合で、その部分を強調して閲覧したい場合、その部分を選択して強調できる。したがって、ユーザは、次は全体的な内容を再閲覧することなく強調された部分を重点的に見ることができ、ユーザの学習効果を増進させる効果を得ることができる。また、ドローイング機能とは、電子装置に表示されている電子コンテンツのテキスト及び画像のうち少なくとも１つの部分に線、図形、絵及び文字のうち少なくとも１つを入力する機能と定義される。さらに具体的には、ユーザが電子装置を用いて特定の電子コンテンツを表示して閲覧中に、特定のテキスト又は特定の画像を強調したい場合に強調したいテキスト又は画像を選択して強調する機能と定義される。例えば、ユーザが電子装置に保存されている特定の小説を閲覧中に、ユーザがお気に入りのテキストを見つけた場合、その部分に星マークなどを表示し、次は星マークなどが表示された部分のみを再び読むことができ、ユーザの時間などを節約できる効果を得ることができる。
【００１４】
図１に示したように、まずユーザは電子装置に保存されている電子コンテンツの中からユーザが閲覧しようとする特定の電子コンテンツを表示する。電子装置を用いて選択された電子コンテンツを閲覧中に、ユーザが強調したいテキストを見つけた場合、ユーザは該当部分を強調するハイライト表示を施すことができる。さらに具体的には、ユーザは電子装置のタッチスクリーンの左側上端にあるハイライトアイコン１０１を選択して強調したいテキストを選択して指定できる。図１に示した図面を参照して説明すると、まずユーザは電子コンテンツを閲覧中に強調したいテキストを見つけた場合、電子装置のタッチスクリーンの左側上端にあるハイライトアイコン１０１を選択する。その後、ユーザが強調したいテキストである「Ｔｉｐ  ｒｅａｌｌｙ  ｗｏｒｋｅｄ」のテキストを選択すると、該当部分は選択されると同時に、色、影付き、下線、傾斜及び太さのうち少なくとも１つで強調される。例えば、ユーザによって選択されたテキストである「Ｔｉｐ  ｒｅａｌｌｙ  ｗｏｒｋｅｄ」は特定の色、影付き、下線、傾斜及び太さのうち少なくとも１つで強調される。したがって、強調された「Ｔｉｐ  ｒｅａｌｌｙ  ｗｏｒｋｅｄ」部分はユーザが次に該当部分を再閲覧する場合、ユーザの目に留まりやすいのでユーザの便利性を向上させる。
【００１５】
また、ユーザが電子装置を用いて選択された電子コンテンツを閲覧中に、ユーザが強調したいテキストや画像などを見つけた場合、ユーザは該当部分にユーザの望むドローイング表示を施すことができる。さらに具体的には、ユーザは電子装置のタッチスクリーンの左側上端にあるドローイングアイコン１０３を選択してユーザの望むドローイング表示を施すことができる。図１に示した図面を参照して説明すると、まずユーザは電子コンテンツを閲覧中に強調したいテキストや画像を見つけた場合、電子装置のタッチスクリーンの左側上端にあるドローイングアイコン１０３を選択する。その後、ユーザが強調したいページ全体に星マーク１０４を表示して該当ページを強調したり、特徴づけることができる。したがって、強調または特徴づけられた該当ページはユーザが次に該当部分を再閲覧する場合、ユーザの目に留まりやすいのでユーザの便利性を向上させる。従来は単に電子コンテンツに下線を引くなどの方法のみが提供されていたが、本発明ではユーザの様々な要望に応えるために単に下線だけではなくユーザの望む様々な文字、模様などを表示できる。例えば、ユーザが学習コンテンツを閲覧中に、重要部分をより細分化して最も重要なテキストは星マークで表示することができ、その次に重要な部分は三角マークで表示することができ、その次に重要な部分は丸マークで表示することができ、ユーザの様々な要望に応えることができる。
【００１６】
図２は、本発明によるハイライト表示を施し、表示したハイライト表示を連結する一実施形態を示した図である。図２に示したように、まずユーザが電子装置を用いて電子装置に保存されている特定のコンテンツを閲覧中に、強調したいテキスト見つけたと仮定しよう。電子コンテンツの中で強調したい特定のコンテンツを見つけたユーザは電子装置の左側上端に表示されているハイライトアイコン２０１を選択する。その後、ユーザは強調したいテキストである「Ｔｉｐ  ｒｅａｌｌｙ  ｗｏｒｋｅｄ」部分２０２を指定すると、自動的に該当部分はハイライト機能が適用されて強調される。さらに具体的には、ユーザによって選択された「Ｔｉｐ  ｒｅａｌｌｙ  ｗｏｒｋｅｄ」部分は特定の色、影付き、下線、傾斜及び太さのうち少なくとも１つで強調される。したがって、強調された「Ｔｉｐ  ｒｅａｌｌｙ  ｗｏｒｋｅｄ」部分はユーザが次に該当部分を再閲覧する場合、ユーザの目に留まりやすいのでユーザの便利性を向上させる。
【００１７】
従来は電子コンテンツの特定のテキストを選択して下線などで強調していたが、強調されたテキストのハイライト表示を連結できる方案は提示されていなかった。すなわち、あるテキストを選択して強調したとしても、その後、該当部分を連結する機能が提供されないため、ユーザが強調したいテキストを最初から指定し直して選択しなければならない不便があった。しかし、本発明では保存されているハイライト機能が適用されたテキストを削除し、再度全体のテキストを選択してハイライト機能の適用を最初からやりなおす必要なく、ハイライト機能が既に適用されたテキストに続くテキストにハイライト機能を選択して連結できる長所がある。図２Ｂに示した図を例に挙げて説明すると、まず電子装置に保存されている「Ｔｉｐ  ｒｅａｌｌｙ  ｗｏｒｋｅｄ」部分はユーザによってハイライト機能が適用されているテキストである。これにユーザはそれに続く部分の「ｈａｒｄｅｒ  ｔｈａｎ」部分までハイライト機能を適用させたい場合、ハイライトアイコン２０１を選択し、「Ｔｉｐ  ｒｅａｌｌｙ  ｗｏｒｋｅｄ」に続くテキストである「ｈａｒｄｅｒ  ｔｈａｎ」部分２０３を選択して指定すると、「Ｔｉｐ  ｒｅａｌｌｙ  ｗｏｒｋｅｄ  ｈａｒｄｅｒ  ｔｈａｎ」部分２０４が１つのハイライト機能が適用されたテキストとして保存される。したがって、ユーザはハイライト機能が適用されたテキストのハイライト表示を連結することができ、ユーザの便利性が向上する長所がある。
【００１８】
図２Ｃはハイライト機能が適用されたテキストがひと目で見分けられるハイライトリストの一実施形態を示した図である。図２Ｃに示したように、電子装置のタッチスクリーンの左側ページにはユーザによって選択された電子コンテンツのタイトルとともに表示２０５が表示されており、右側ページにはユーザによってハイライト機能が適用されたテキストと該当テキストが含まれるページを示すハイライトリスト２０６が表示されている。したがって、ユーザはハイライトリストに含まれたハイライト機能が適用されたテキストと該当テキストが含まれるページとを容易に確認することができる長所がある。
【００１９】
図３は、本発明によるハイライト機能が適用されたテキストのハイライト表示を分離する一実施形態を示した図である。図３に示したように、まずユーザが特定のテキストにハイライト機能を適用した後、ハイライト機能が適用されたテキストのハイライト表示を分離したい場合を例に挙げて説明する。すなわち、ユーザは「ｉｔｓ  ｌｅａｄｅｒｓｈｉｐｔｏ  ｄｉｇｉｔａｌ  ｓｏｆｔｗａｒｅ  ｎｏｗ  ｄｏｍｉｎａｔｅｓ  ｏｕｒ  ｈａｖｅ  ｍｏｖｅｄ  ｆｒｏｍ  ａｔｏｍｓ  ｔｏ  ｂｉｔｓ」というテキストの中で、「ｓｏｆｔ  ｗａｒｅ  ｎｏｗ  ｄｏｍｉｎａｔｅｓ  ｏｕｒ」部分３０１にハイライト機能を適用した後、ハイライト機能が適用されたテキストのハイライト表示を「ｓｏｆｔｗａｒｅ」部分３０２と「ｎｏｗ  ｄｏｍｉｎａｔｅｓ  ｏｕｒ」部分３０３とに分離したい場合である。この場合、ユーザはハイライトアイコンを選択した後、ハイライト機能が適用された「ｓｏｆｔｗａｒｅ  ｎｏｗ  ｄｏｍｉｎａｔｅｓ  ｏｕｒ」部分３０１の中で分離したい部分を入力ツールなどで分離させると、「ｓｏｆｔｗａｒｅ」部分３０２と「ｎｏｗ  ｄｏｍｉｎａｔｅｓ  ｏｕｒ」部分３０３とが自動的に分離されて保存される。すなわち、従来はユーザによって強調された部分を分離する機能を提供していなかったため、ユーザは強調された特定のテキストの強調を解除してから、それぞれのテキストに対して下線などで再度強調しなければならない不便があった。しかし、本発明によるハイライト機能はハイライト機能が適用された特定のテキストのハイライト表示を分離できる機能が提供され、ユーザに便利性を向上させる長所がある。
【００２０】
図４は、本発明による特定の画像にハイライト機能を適用させる一実施形態を示した図である。図４に示したように、電子装置のタッチスクリーンにはユーザによって選択された特定の電子コンテンツが表示されている。ユーザが電子装置のタッチスクリーンに表示されている電子コンテンツを閲覧中に、特定の画像を強調したい場合に、ユーザは該当画像を選択して強調できる。図４の（ａ）に示した図を例に挙げて説明すると、ユーザが特定の小説を閲覧中に、電子コンテンツに含まれるウサギの絵を強調したい場合、電子装置のタッチスクリーンの左側上端に表示されているハイライトアイコン４０１を選択して該当画像を強調できる。さらに具体的には、まずユーザは電子装置のタッチスクリーンの左側上端に表示されているハイライトアイコン４０１を選択した後、ウサギの画像全体を入力ツールなどで選択して、選択されたウサギの画像を強調できる。図４の（ｂ）は該当画像を選択する他の実施形態を示した図である。すなわち、図４の（ｂ）に示したように、ユーザによって選択された画像は１つの画像であるので、ユーザによって画像の一部のみが選択された場合も画像全体が強調される。図４の（ｃ）は画像が強調された場合表示される一実施形態を示した図で、図４の（ｃ）に示したように、ユーザによって選択された画像は該当画像の枠が強調され、ユーザは該当画像が強調されたことを容易に確認することができる。
【００２１】
また、本発明では電子コンテンツに含まれる特定の動画を選択して保存できる。図４には示していないが、電子コンテンツに含まれる特定の動画全体を選択して保存することもでき、該当動画の特定の区間のみを選択して保存できる。すなわち、ユーザが電子装置を用いて電子コンテンツに含まれる少なくとも１つの動画の中から特定の動画の任意の区間を選択して保存したい場合にも利用できる。例えば、特定の動画を再生した後、再生されている動画の中から任意の区間を選択したい場合、該当区間の開始時点を入力ツールなどでタッチした後、該当区間が終了する時点でタッチを中断すると、タッチが開始された部分からタッチが終了した部分までの任意の部分が選択される。その後、電子装置では選択された部分のみを抽出して保存し、該当動画が強調されたことを示すために該当動画プレーヤの枠を強調して表示する。したがって、ユーザは次に該当ページを閲覧する場合に特定の動画プレーヤの枠が強調された様子を見て、該当動画全体又は任意の部分に対してハイライト機能が適用されたことを容易に分かる。
【００２２】
図５は、本発明によるドローイング機能を適用する一実施形態を示した図である。まず、図５の（ａ）に示したように、ユーザが電子装置に保存されている特定の電子コンテンツを選択して電子装置のタッチスクリーンに表示されている電子コンテンツを閲覧していると仮定しよう。その後、ユーザは特定の部分に単なる下線などではなくユーザの望む特定の表示をしたい場合、本発明によるドローイング機能を適用させることができる。図５の（ｂ）に示した図面を例に挙げると、ユーザが電子装置のタッチスクリーンに表示されているテキストを閲覧中に、「ｔｈｅ  ｐｒｉｍａｒｙ  ｅｃｏｎｏｍｉｃ  ｄｒｉｖｅｒ  ｏｆ  ｔｈｅ  ｐａｓｔ  １７５  ｙｅａｒｓ」部分を下線などではなくユーザの望む表示を施して保存したい場合、ドローイングアイコン５０１を選択してから、該当部分に星マークを表示して保存できる。また、下方のテキストには星マークとは異なる表示である英文字「Ａ」と表示して星マークなどとは異なるように該当テキストを区別して保存できる。
【００２３】
従来は単に電子コンテンツの特定のテキストに下線などを引くなど単純な強調機能のみが提供されていたが、本発明では単に下線などを引く方案を超えユーザの望む表示などを施して重要度表示を差別化でき、またユーザの様々な要望に応えることができる長所がある。すなわち、本発明ではユーザの様々な要望に応えるために単に下線だけではなくユーザの望む様々な文字、模様などを表示できる。例えば、ユーザが学習コンテンツを閲覧中に、重要部分をより細分化して最も重要なテキストは星マークで表示することができ、その次に重要な部分は三角マークで表示することができ、その次に重要な部分は丸マークで表示することができ、ユーザの様々な要望に応えることができる。
【００２４】
図６は、ドローイング機能が適用された特定の部分を拡大した場合の一実施形態を示した図である。ここで、ドローイング機能とは、電子装置に表示されている電子コンテンツのテキスト及び画像のうち少なくとも１つの部分に線、図形、絵及び文字のうち少なくとも１つを入力する機能と定義される。さらに具体的には、ユーザが電子装置を用いて特定の電子コンテンツを表示して閲覧中に、特定のテキスト又は特定の画像を強調したい場合に強調したいテキスト又は画像を選択して強調する機能と定義される。例えば、ユーザが電子装置に保存されている特定の小説を閲覧中に、ユーザがお気に入りのテキストを見つけた場合、その部分に星マークなどを表示し、次は星マークなどが表示された部分のみを再び読むことができ、ユーザの時間などを節約できる効果を得ることができる。
【００２５】
本発明によるドローイング機能はユーザの入力を電子装置のタッチスクリーン上の座標のポインタ及び移動経路（ｍｏｖｅ  ｐａｔｈ）で保存するベクター方式を用いる。さらに具体的には、電子装置がユーザによりドローイング機能が適用されて、特定の表示を入力された場合、電子装置はユーザから入力された座標を分析し、入力された移動経路を保存するベクター方式を用いる。すなわち、従来はユーザによって入力されたユーザデータが電子コンテンツとともに保存され、保存されたコンテンツを再び呼び出して電子装置のタッチスクリーンに表示する場合に保存されたユーザデータが破損するという問題点があった。例えば、ユーザデータが電子コンテンツに保存される当時のフォント（ｆｏｎｔ）のサイズを１０として保存した後、電子装置で保存されたコンテンツを閲覧する時、サイズが１２のフォントで該当コンテンツを表示した場合、フォントのサイズが合わず保存されたユーザデータが損傷する問題があった。また、ユーザデータが保存されたコンテンツを拡大または縮小する場合、同様に該当部分が損傷する問題が生じた。しかし、本発明では上述のように、ユーザからユーザデータを入力される時、ユーザの入力を電子装置のタッチスクリーン上の座標のポインタ及び移動経路で保存するベクター方式を用いて保存される。したがって、従来の技術のように、保存されたコンテンツを後で閲覧する場合保存されたユーザデータがそのまま復元されるという長所がある。また、図６の（ａ）に示したように、ユーザから丸マークを入力されて電子コンテンツとともに保存した場合、その後、ユーザによって該当部分を拡大した場合も図６の（ｂ）に示したように、保存された丸マークの部分が損傷されず、鮮明に表示される長所がある。
【００２６】
図７は、本発明によるハイライトリスト及びドローイングリストの一実施形態を示した図である。まず、図７Ａに示したように、ユーザが電子コンテンツの特定のテキスト、画像及び動画などに対してハイライト機能を用いて電子コンテンツとともに保存した場合、該当コンテンツのハイライト機能が適用されたハイライトリストを表示できる。図７Ａに示したハイライトリストを例に挙げて説明する。ユーザがくまのプーさんという電子コンテンツを閲覧中に特定のコンテンツに対してハイライト機能を表示して保存した後、保存された電子コンテンツを再閲覧したと仮定しよう。ユーザはくまのプーさんという電子コンテンツを選択し、該当コンテンツに保存されているハイライト部分のみを再閲覧したい場合、ハイライトリストを選択して、保存されたハイライト部分のみを閲覧できる。ユーザを基準にして図７Ａの左側面にはユーザが選択した電子コンテンツであるくまのプーさんが表示されており、右側面にはユーザによってハイライト機能が適用されたテキストが該当ページとともに表示されている。すなわち、ユーザはくまのプーさんという電子コンテンツの５ページにはハイライト機能が適用されたテキストが３つ保存されているということが分かる。また、ユーザは６ページにはハイライト機能が適用されたテキストが２つ保存されており、７ページにはハイライト機能が適用されたテキストが１つ保存されているということが分かる。
【００２７】
また、図７Ｂに示したように、ユーザが電子コンテンツの特定のテキスト及び画像などに対してドローイング機能を用いて電子コンテンツとともに保存した場合、該当コンテンツのドローイング機能が適用されたドローイングリストを表示できる。図７Ｂに示したドローイングリストを例に挙げて説明する。ユーザがくまのプーさんという電子コンテンツを閲覧中に、特定のコンテンツに対してドローイング機能を表示して保存した後、保存された電子コンテンツを再閲覧すると仮定しよう。ユーザはくまのプーさんという電子コンテンツを選択し、該当コンテンツに保存されているドローイング部分のみを再閲覧したい場合、ドローイングリストを選択して、保存されたドローイング部分のみを閲覧できる。ユーザを基準にして図７Ｂの左側面にはユーザが選択した電子コンテンツであるくまのプーさんが表示されており、右側面にはユーザによってドローイング機能が適用されたテキストが該当ページとともに表示されている。すなわち、ユーザはくまのプーさんという電子コンテンツの９ページにドローイング機能（ハートマークで表示）が適用されているということが分かり、２８ページにもドローイング機能（星マークで表示）が適用されているということが分かる。
【００２８】
従来はユーザによって強調された部分に対して強調された部分が含まれたページ番号や該当強調されたテキストなどをひと目で確認できるリストが提供されなかったため、ユーザはそれぞれの強調された部分を直接電子コンテンツでいちいち探さなければならない不便があった。しかし、本発明では上述のように、該当ページと該当表示をユーザが容易に確認できるハイライトリスト及びドローイングリストが提供される長所がある。
【００２９】
図８は、本発明によるハイライトリストを用いてハイライト機能が適用された特定のコンテンツを削除する一実施形態を示した図である。まず、ユーザは特定の電子コンテンツを選択した後、選択された電子コンテンツとともに保存されているハイライト機能が適用されたハイライトテキストが含まれるハイライトリストを呼び出す。ユーザがハイライトリストを呼び出すと電子装置のタッチスクリーンにはハイライト機能が適用されたテキストが含まれるハイライトリストが表示される。その後、ユーザは削除したいハイライトリストを選択し、選択したハイライトリストを削除するという命令を電子装置に入力すると、選択されたハイライト機能が適用されたテキストが削除される。従来はユーザが、強調されたテキストをひと目で見分けるようにするリストが提供されていていなかった。したがって、ユーザは強調されたテキストをいちいち探して削除しなければならない不便があった。しかし、本発明ではハイライト機能が適用されたテキストが含まれたハイライトリストを提供している。すなわち、ハイライトリストにはハイライト機能が適用されたテキストを予め見ることができ、またハイライト機能が適用されたテキストが含まれるページがともに表示される。したがって、ユーザはハイライトリストを呼び出して電子装置のタッチスクリーンに表示すると、それぞれのハイライト機能が適用されたテキストとハイライト機能が適用されたテキストが位置する該当ページ番号を確認することができるため、ユーザの便宜性が向上する長所がある。また、上述のように、ユーザが削除したいテキストをいちいち探して削除しなくてもハイライトリストで削除したいテキストのみを選択して削除できる。図８ではハイライト機能が適用されたテキストをハイライトリストで簡単に削除する一実施形態を示したものである。図８に示したように、ユーザはハイライトリストで削除したいハイライト機能が適用された３つのテキストを選択して便利に削除した一実施形態を示す。図８には示していないが、本実施例はハイライトリストでハイライト機能が適用されたテキストを削除する例だけではなく、ドローイングリストでドローイング機能が適用されたテキストを削除する場合にも同様に適用されることは無論である。
【００３０】
図９は、本発明による保存されたユーザデータを呼び出す時、ユーザ定義値を復元して表示する一実施形態を示した図である。まず、図９Аに示したように、ユーザが電子装置を用いて特定の電子コンテンツを閲覧中に、特定のページにドローイング表示を施した後、ドローイング表示とともに保存された電子コンテンツを呼び出して表示した一実施形態を示した図である。すなわち、図９Аに示すものはドローイングリストであって、ドローイング機能が適用された該当ページとドローイング表示がともに保存されている。その後、ユーザが、ドローイング機能が適用された該当ページを選択すると図９Ｂに示したように、ドローイング機能が適用された該当ページとドローイング表示が共に表示される。本発明では単にドローイング機能が適用された該当ページとドローイング表示が共に表示されるものではなく、保存当時のユーザ定義値をそのまま復元して表示する。さらに具体的には、ドローイング表示が保存される当時のフォントのサイズ及びページ番号がそのまま復元されて電子装置のタッチスクリーンに表示される。例えば、ユーザがフォントのサイズを２８として９ページにあるテキストにハートマークと星マークを施して保存した後、該当テキストを再び呼び出した場合は、９ページにあったテキストにフォントサイズが２８のまま復元されて表示される。
【００３１】
図９Ｃと図９Ｄは、保存された当時のページのユーザ定義値ではなく、現在のユーザ定義値を維持してハイライト機能が適用されたテキストを示す一実施形態を示した図である。図９Ｃに示したように、ユーザが電子コンテンツを閲覧中に、特定のテキストを指定してハイライト機能を適用し、これを電子コンテンツとともに保存した場合を示した図である。その後、ユーザは図９Ｄに示したように、ハイライト機能が適用されたテキストを呼び出して表示した場合、現在、電子コンテンツが表示されているモード（ｍｏｄｅ）のままページのみを移動して表示される。さらに具体的には、ユーザが、ハイライト機能が適用されたテキストを呼び出して表示する場合に、保存された当時のモードに関係なくユーザが現在表示しているモードに合わせてハイライト機能が適用されたテキストを表示するので、ユーザの便宜性を向上させる長所がある。したがって、ユーザは図９А及び図９Ｂで述べたように、保存される当時のモードのまま復元して表示することもでき、現在のモードに合わせて表示することもでき、ユーザの様々な要望に応える長所がある。
【００３２】
図１０は、本発明による保存されたドローイング表示を個別に削除する一実施形態を示した図である。図８を参照して詳細に説明したように、ハイライトリスト又はドローイングリストでユーザが削除したいハイライト機能又はドローイング機能が適用されたテキストのハイライト表示又はドローイング表示などを削除することもできるが、図１０を参照して説明するように、個別に削除することができることは無論である。以下、保存されたドローイング表示を個別に削除する一実施形態を詳細に説明する。
【００３３】
図１０Ａに示したように、電子コンテンツの任意のページにハートマークと星マークが保存されている時、ユーザが保存されたハートマークを削除しようとする場合を仮定して説明する。ユーザはハートマークが保存されたページを呼び出して電子装置のタッチスクリーンに表示した後、削除アイコンを選択する。ユーザによって削除アイコンが選択されると、電子装置は特定の表示を削除できる削除モードに切り替えられる。その後、ユーザは削除したいハートマークの一部と交差するようにしてハートマークを選択すると、図１０Ｂに示したように、保存されたハートマークが削除される。
【００３４】
図１０Ｃ及び図１０Ｄは、保存されたドローイング表示を削除するさらに他の実施形態を示した図である。まず、図１０Ｃに示したように、電子コンテンツの任意のページにハートマークと星マークが保存されている時、ユーザが保存された星マークを削除しようとする場合を仮定して説明する。ユーザは星マークが保存されたページを呼び出して電子装置のタッチスクリーンに表示した後、削除アイコンを選択する。ユーザによって削除アイコンが選択されると、電子装置は特定の表示を削除できる削除モードに切り替えられる。その後、ユーザは削除したい星マークの全体を囲むように星マークを選択すると、図１０Ｄに示したように、保存された星マークが削除される。図１０では保存されたドローイング表示を個別に削除する一実施形態を説明したが、保存されたハイライト表示も同じ方法で個別に削除することができることは無論である。
【００３５】
図１１は、本発明の一実施形態によるユーザデータを入力及び管理できる電子装置の動作手順を示すフローチャートである。図１１に示したように、まず電子装置は電子コンテンツを表示する（Ｓ１１０１）。さらに具体的には、電子装置に保存されている少なくとも１つの電子コンテンツの中から、ユーザによっていずれか１つの電子コンテンツが選択されると、電子装置はユーザによって選択された電子コンテンツを電子装置のタッチスクリーンに表示する。
【００３６】
電子コンテンツを表示した電子装置は電子コンテンツの少なくとも１つの部分に特定の表示を施し、電子コンテンツとともに保存する（Ｓ１１０２）。さらに具体的には、ユーザが電子装置に表示された電子コンテンツを閲覧中に、ハイライト表示及びドローイング表示のうち少なくとも１つの表示を施すと、電子装置は電子コンテンツと特定の表示をともに保存する。ここで、ハイライト機能とは、電子装置に表示されている電子コンテンツのテキストの中からユーザによって特定のテキストが選択されると、選択されたテキストは選択されると同時に、色、影付き、下線、傾斜及び太さのうち少なくとも１つで強調される機能をいう。さらに具体的には、ユーザが電子装置を用いて特定の電子コンテンツを表示して閲覧中に、特定のテキストを強調したい場合に強調したいテキストを選択して強調する機能と定義される。例えば、ユーザが電子装置に保存されている学習用電子コンテンツを閲覧中に、ユーザが後で再び見る場合にその部分を強調して閲覧したい場合、その部分を選択して強調できる。したがって、ユーザは、次は全体的な内容を再閲覧することなく強調された部分を重点的に見ることができ、ユーザの学習効果を増進させる効果を得ることができる。また、ドローイング機能とは、電子装置に表示されている電子コンテンツのテキスト及び画像のうち少なくとも１つの部分に線、図形、絵及び文字のうち少なくとも１つを入力する機能と定義される。さらに具体的には、ユーザが電子装置を用いて特定の電子コンテンツを表示して閲覧中に、特定のテキスト又は特定の画像を強調したい場合に強調したいテキスト又は画像を選択して強調する機能と定義される。例えば、ユーザが電子装置に保存されている特定の小説を閲覧中に、ユーザがお気に入りのテキストを見つけた場合、その部分に星マークなどを表示し、次は星マークなどが表示された部分のみを再び読むことができ、ユーザの時間などを節約できる効果を得ることができる。
【００３７】
その後、電子装置はハイライト又はドローイングリストを呼び出す（Ｓ１１０３）。さらに具体的には、ユーザは特定の電子コンテンツを選択した後、選択された電子コンテンツとともに保存されているハイライト機能（又はドローイング機能）が適用されたハイライトテキスト（又はドローイングテキスト）が含まれるハイライトリスト（又はドローイングリスト）を呼び出す。ユーザがハイライトリスト（又はドローイングリスト）を呼び出すと電子装置のタッチスクリーンにはハイライト機能（又はドローイング機能）が適用されたテキストが含まれるハイライトリスト（又はドローイングリスト）が表示される。
【００３８】
ハイライト又はドローイングリストを呼び出した電子装置は特定のリストを削除するようにする命令を入力されたかを判断する（Ｓ１１０４）。さらに具体的には、上述のように、ハイライト又はドローイングリストにはハイライト機能又はドローイング機能が適用されたテキストなどが表示される。本発明ではユーザが削除しようとするハイライトリスト（又はドローイングリスト）を選択し、選択したハイライトリスト（又はドローイングリスト）を削除するという命令を電子装置に入力すると、選択されたハイライト機能（又はドローイング機能）が適用されたテキストのハイライト表示（又はドローイング表示）は削除される。従来はユーザが強調されたテキストをひと目で見分けられるようにするリストが提供されていなかった。したがって、ユーザは強調されたテキストをいちいち探して削除しなければならない不便があった。しかし、本発明ではハイライト機能（又はドローイング機能）が適用されたテキストが含まれたハイライトリスト（又はドローイングリスト）を提供しているため、上述のように、ユーザが削除したいテキストのハイライト表示（又はドローイング表示）をいちいち探して削除しなくてもハイライトリスト（又はドローイングリスト）で削除したいテキストのハイライト表示（又はドローイング表示）のみを選択して削除できる長所がある。
【００３９】
電子装置で特定のリストを削除するようにする命令が入力されなかったと判断されると、電子装置は選択された部分が含まれるページに移動するようにする命令が入力されたかを判断する（Ｓ１１０５）。さらに具体的には、本発明では電子装置のタッチスクリーンに表示されたハイライトリスト（又はドローイングリスト）の中からいずれか１つが選択されると、選択された部分が含まれるページに移動するショートカット機能が提供される。すなわち、ユーザはハイライトリスト（又はドローイングリスト）に表示されている項目の中からいずれか１つを選択して入力すると、該当項目が含まれるページに直ちに移動するショートカット機能が提供されるため、ユーザの便利性を向上させている。
【００４０】
電子装置で選択された部分が含まれるページに移動するようにする命令が入力されなかったと判断されると、本発明の動作手順は終了する。ここで終了するということは、電子コンテンツを続けて閲覧できるという意味も含まれている。すなわち、直ちに電子コンテンツの閲覧を中止することもでき、本発明で提供する削除又はショートカット機能を適用することなく電子コンテンツの閲覧を継続することもできる。
【００４１】
もし、上述した判断過程Ｓ１１０４で電子装置が特定のリストを削除するようにする命令が入力されたと判断されると、選択されたリストに含まれた特定の表示を削除する（Ｓ１１０６）。すなわち、上述のように、本発明ではハイライトリスト又はドローイングリストを電子装置のタッチスクリーンに表示した後、ユーザがハイライト表示を削除しようとするテキストなどを選択するだけで、直ちに削除できる機能が提供される。
【００４２】
もし、上述した判断過程Ｓ１１０７で電子装置が選択された部分が含まれるページに移動するようにする命令を入力されたと判断されると、電子装置は選択された部分が含まれるページに直ちに移動して本発明による過程は終了する。
【００４３】
図１２は、本発明の一実施形態による電子装置１２００の構成を示したブロック図である。このような電子装置１２００は、携帯用電子装置（ｐｏｒｔａｂｌｅ  ｅｌｅｃｔｒｏｎｉｃ  ｄｅｖｉｃｅ）である場合があって、携帯端末（ｐｏｒｔａｂｌｅ  ｔｅｒｍｉｎａｌ）、移動電話（ｍｏｂｉｌｅ  ｐｈｏｎｅ）、移動パッド（ｍｏｂｉｌｅ  ｐａｄ）、メディアプレーヤ（ｍｅｄｉａ  ｐｌａｙｅｒ）、タブレットコンピュータ（ｔａｂｌｅｔ  ｃｏｍｐｕｔｅｒ）、ハンドヘルドコンピュータ（ｈａｎｄｈｅｌｄ  ｃｏｍｐｕｔｅｒ）又はＰＤＡ（Ｐｅｒｓｏｎａｌ  Ｄｉｇｉｔａｌ  Ａｓｓｉｓｔａｎｔ）のような装置である場合がある。また、このような装置のうち２種類以上の機能を結合した装置を含む任意の携帯用電子装置である場合もある。
【００４４】
このような電子装置１２００はメモリ１２１０、プロセッサユニット（ｐｒｏｃｅｓｓｏｒ  ｕｎｉｔ）１２２０、第１無線通信サブシステム１２３０、第２無線通信サブシステム１２３１、外部ポート１２６０、オーディオサブシステム１２５０、スピーカ１２５１、マイクロホン１２５２、入出力（ＩＯ：Ｉｎｐｕｔ  Ｏｕｔｐｕｔ）システム１２７０、タッチスクリーン１２８０及びその他入力又は制御装置１２９０を含む。メモリ１２１０と外部ポート１２６０は多数個が用いられ得る。
【００４５】
プロセッサユニット１２２０は、メモリインタフェース１２２１、１つ以上のプロセッサ１２２２及び周辺装置インタフェース（ｐｅｒｉｐｈｅｒａｌ  ｉｎｔｅｒｆａｃｅ）１２２３を含むことができる。場合によっては、プロセッサユニット１２２０全体をプロセッサと称することもある。本発明でプロセッサユニット１２２０は、選択されたテキストを選択されると同時に、色、影付き、下線、傾斜及び太さのうち少なくとも１つで強調し、選択された第２テキストを選択されると同時に、色、影付き、下線、傾斜及び太さのうち少なくとも１つで強調し、第１テキストのハイライト表示と前記第２テキストのハイライト表示を連結する。また、強調された第１テキストのうち任意の部分が第３テキスト及び第４テキストにドラッグ（ｄｒａｇ）されることを確認し、第１テキストのハイライト表示が第３テキストのハイライト表示及び第４テキストのハイライト表示に分離されることを確認し、選択された画像の枠を強調し、選択された動画が含まれた動画プレーヤの枠を強調し、選択された区間を抽出し、入力された座標を分析する。また、命令を入力された少なくとも１つの強調されたテキストのハイライト表示を削除し、強調されたテキストが含まれるページに移動させ、命令を入力された少なくとも１つの部分のハイライト表示を削除する。また、選択された部分が含まれるページに移動させる。
【００４６】
プロセッサ１２２２は様々なソフトウェアプログラムを実行して電子装置１２００のための種々の機能を行い、さらに音声通信及びデータ通信のための処理及び制御を行う。また、このような通常の機能に加えて、プロセッサ１２２２はメモリ１２１０に保存されている特定のソフトウェアモジュール（命令セット）を実行してそのモジュールに対応する特定の様々な機能を行う役割も担う。すなわち、プロセッサ１２２２はメモリ１２１０に保存されたソフトウェアモジュールと連動して本発明の実施形態の方法を行う。
【００４７】
プロセッサ１２２２は１つ以上のデータプロセッサ、画像プロセッサ、又はコーデック（ＣＯＤＥＣ）を含むことができる。データプロセッサ、画像プロセッサ又はコーデックは別途構成することもできる。また、互いに異なる機能を行う数個のプロセッサで構成されることもできる。周辺装置インタフェース１２２３は電子装置１２００の入出力システム１２７０及び様々な周辺装置をプロセッサ１２２２及びメモリ１２１０（メモリインタフェースを介して）に連結させる。
【００４８】
電子装置１２００の様々な構成要素は１つ以上の通信バス（符号記載せず）又はストリームライン（符号記載せず）によって接続される（ｃｏｕｐｌｅｄ）ことができる 。
【００４９】
外部ポート１２６０は、携帯用電子装置（図示せず）を他の電子装置に直接連結するか、またはネットワーク（例えば、インターネット、イントラネット、無線ＬＡＮなど）を介して他の電子装置に間接的に連結するために使用される。外部ポート１２６０は、例えば、これらに限定されず、ＵＳＢ（Ｕｎｉｖｅｒｓａｌ  ｓｅｒｉａｌ  Ｂｕｓ）ポート又はＦＩＲＥＷＩＲＥ(登録商標)ポートなどをいう。
【００５０】
モーションセンサ１２９１及び光センサ１２９２は周辺装置インタフェース１２２３に接続されて様々な機能を行うことができる。例えば、モーションセンサ１２９１及び光センサ１２９２が周辺装置インタフェース１２２３に接続されそれぞれ電子装置のモーションの感知及び外部からの光感知を可能にすることができる。この他にも、位置測定システム、温度センサ又は生体センサなどのようなその他のセンサが周辺装置インタフェース１２２３に連結されて関連機能を行うことができる。
【００５１】
カメラサブシステム１２９３は写真及びビデオクリップレコーディングのようなカメラ機能を行うことができる。
【００５２】
光センサ１２９２はＣＣＤ（ｃｈａｒｇｅｄ  ｃｏｕｐｌｅｄ  ｄｅｖｉｃｅ）又はＣＭＯＳ（ｃｏｍｐｌｅｍｅｎｔａｒｙ  ｍｅｔａｌ−ｏｘｉｄｅ  ｓｅｍｉｃｏｎｄｕｃｔｏｒ）デバイスを使用することができる。
【００５３】
１つ以上の無線通信サブシステム１２３０、１２３１を介して通信機能が行われる。無線通信サブシステム１２３０、１２３１は無線周波数（ｒａｄｉｏ  ｆｒｅｑｕｅｎｃｙ）受信機及び送受信機及び／又は光（例えば、赤外線）受信機及び送受信機を含むことができる。第１無線通信サブシステム１２３０と第２無線通信サブシステム１２３１とは電子装置１２００が通信する通信ネットワークに応じて区分できる。例えば、通信ネットワークは、これらに限定されず、ＧＳＭ(登録商標)（Ｇｌｏｂａｌ  Ｓｙｓｔｅｍ  ｆｏｒ  Ｍｏｂｉｌｅ  Ｃｏｍｍｕｎｉｃａｔｉｏｎ）ネットワーク、ＥＤＧＥ（Ｅｎｈａｎｃｅｄ  Ｄａｔａ  ＧＳＭ(登録商標)  Ｅｎｖｉｒｏｎｍｅｎｔ）ネットワーク、ＣＤＭＡ（Ｃｏｄｅ  Ｄｉｖｉｓｉｏｎ  Ｍｕｌｔｉｐｌｅ  Ａｃｃｅｓｓ）ネットワーク、Ｗ−ＣＤＭＡ（Ｗ−Ｃｏｄｅ  Ｄｉｖｉｓｉｏｎ  Ｍｕｌｔｉｐｌｅ  Ａｃｃｅｓｓ）ネットワーク、ＬＴＥ（Ｌｏｎｇ  Ｔｅｒｍ  Ｅｖｏｌｕｔｉｏｎ）ネットワーク、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）ネットワーク、Ｗｉ−Ｆｉ(登録商標)（Ｗｉｒｅｌｅｓｓ  Ｆｉｄｅｌｉｔｙ）ネットワーク、ＷｉＭａｘネットワーク又は／及びＢｌｕｅｔｏｏｔｈ(登録商標)ネットワークなどを介して動作するように設計される通信サブシステムを含むことができる。ただし、本発明の一実施形態ではＷｉ−Ｆｉ(登録商標)ネットワークを介したＷｉＦｉ通信(登録商標)を備えるので、図１２で、第１無線通信サブシステム１２３０と第２無線通信サブシステム１２３１のうち１つはＷｉ−Ｆｉ(登録商標)（Ｗｉｒｅｌｅｓｓ  Ｆｉｄｅｌｉｔｙ）ネットワークを介して動作できる。第１無線通信サブシステム１２３０と第２無線通信サブシステム１２３１とは合わせて１つの無線通信サブシステムに構成することもできる。
【００５４】
オーディオサブシステム１２５０がスピーカ１２５１及びマイクロホン１２５２に接続されて音声認識、音声複製、デジタルレコーディング（ｒｅｃｏｒｄｉｎｇ）及び電話機能のようなオーディオストリームの入力と出力を担当することができる。すなわち、オーディオサブシステム１２５０はスピーカ（ｓｐｅａｋｅｒ）１２５１及びマイクロホン１２５２を介してユーザとコミュニケーションする（ｃｏｍｍｕｎｉｃａｔｅ）。オーディオサブシステム１２５０はプロセッサユニット１２２０の周辺装置インタフェース１２２３を介してデータストリームを受信し、受信したデータストリームを電気ストリームに変換する。変換された電気ストリーム（ｅｌｅｃｔｒｉｃ  ｓｉｇｎａｌ）はスピーカ１２５１に伝えられる。スピーカ１２５１は電気ストリームを人間が聴くことができる音波（ｓｏｕｎｄ  ｗａｖｅ）に変換して出力する。マイクロホン１２５２は、人間やその他の音源（ｓｏｕｎｄ  ｓｏｕｒｃｅ）から伝達された音波を電気ストリームに変換する。オーディオサブシステム１２５０はマイクロホン１２５２から変換された電気ストリームを受信する。オーディオサブシステム１２５０は受信した電気ストリームをオーディオデータストリームに変換し、変換されたオーディオデータストリームを周辺インタフェース１２２３に伝送する。オーディオサブシステム１２５０は脱着可能な（ａｔｔａｃｈａｂｌｅ  ａｎｄ  ｄｅｔａｃｈａｂｌｅ）イヤホン（ｅａｒ  ｐｈｏｎｅ）、ヘッドホン（ｈｅａｄ  ｐｈｏｎｅ）又はヘッドセット（ｈｅａｄ  ｓｅｔ）を含むことができる。
【００５５】
入出力（Ｉ／Ｏ：Ｉｎｐｕｔ／Ｏｕｔｐｕｔ）システム１２７０はタッチスクリーン制御器１２７１及び／又はその他入力制御器１２７２を含むことができる。タッチスクリーン制御器１２７１はタッチスクリーン１２８０に接続され得る。タッチスクリーン１２８０及びタッチスクリーン制御器１２７１は、以下に限定されないが、タッチスクリーン１２８０との１つ以上の接触点を決定するための容量性、抵抗性、赤外線及び表面音響波技術だけではなくその他近接センサ配列又はその他要素を含む任意のマルチタッチ感知技術を利用して接触及びモーション又はこれらの中断を検出できる。その他入力制御器１２７２はその他入力／制御装置１２９０に接続され得る。その他入力／制御装置１２９０に１つ以上のボタン、ロック（ｒｏｃｋｅｒ）スイッチ、サムホイール（ｔｈｕｍｂ−ｗｈｅｅｌ）、ダイヤル（ｄｉａｌ）、スティック（ｓｔｉｃｋ）、及び／又はスタイラスのようなポインタ装置などである場合もある。
【００５６】
タッチスクリーン１２８０は電子装置１２００とユーザの間に入力／出力インタフェースを提供する。すなわち、タッチスクリーン１２８０はユーザのタッチ入力を電子装置１２００に伝達する。また電子装置１２００からの出力をユーザに見せる媒介体である。すなわち、タッチスクリーン１２８０はユーザに視覚的な出力を見せる。このような視覚的出力（ｖｉｓｕａｌ  ｏｕｔｐｕｔ）はテキスト（ｔｅｘｔ）、グラフィック（ｇｒａｐｈｉｃ）、ビデオ（ｖｉｄｅｏ）及びこれらの組み合わせの形態で現れる。
【００５７】
タッチスクリーン１２８０は様々なディスプレイが使用できる。例えば、これに限定されないが、ＬＣＤ（ｌｉｑｕｉｄ  ｃｒｙｓｔａｌ  ｄｉｓｐｌａｙ）、ＬＥＤ（Ｌｉｇｈｔ  Ｅｍｉｔｔｉｎｇ  Ｄｉｏｄｅ）、ＬＰＤ（ｌｉｇｈｔ  ｅｍｉｔｔｉｎｇ  ｐｏｌｙｍｅｒ  ｄｉｓｐｌａｙ）、ＯＬＥＤ（Ｏｒｇａｎｉｃ  Ｌｉｇｈｔ  Ｅｍｉｔｔｉｎｇ  Ｄｉｏｄｅ）、ＡＭＯＬＥＤ（Ａｃｔｉｖｅ  Ｍａｔｒｉｘ  Ｏｒｇａｎｉｃ  Ｌｉｇｈｔ  Ｅｍｉｔｔｉｎｇ  Ｄｉｏｄｅ）又はＦＬＥＤ（Ｆｌｅｘｉｂｌｅ  ＬＥＤ）を使用することができる。本発明でタッチスクリーン１２８０では、電子コンテンツの画像の中から特定の画像が選択され、電子コンテンツの動画の中から特定の動画が選択され、電子コンテンツのテキスト及び画像のうち少なくとも１つの部分に線、図形、絵及び文字のうち少なくとも１つが入力される。また、ハイライトリストを呼び出すようにする命令が入力され、ハイライトリストが表示し、ハイライトリストに表示されている少なくとも１つの強調されたテキストが選択され、選択された少なくとも１つの強調されたテキストのハイライト表示を削除するようにする命令が入力される。また、ハイライトリストに表示されているいずれか１つの強調されたテキストが選択され、選択された強調されたテキストが含まれるページに移動するようにする命令が入力される。また、ドローイングリストを呼び出すようにする命令が入力され、ドローイングリストを表示する。また、ドローイングリストに表示されている少なくとも１つの線、図形、絵及び文字のうち少なくとも１つが入力された電子コンテンツのテキスト及び画像の中から少なくとも１つの部分が選択され、少なくとも１つの部分のドローイング表示を削除するようにする命令が入力され、ドローイングリストに表示されている少なくとも１つの線、図形、絵及び文字のうち少なくとも１つが入力された電子コンテンツのテキスト及び画像の中からいずれか１つの部分が選択され、前記選択された部分が含まれるページに移動するようにする命令が入力される。
【００５８】
メモリ１２１０はメモリインタフェース１２２１に接続され得る。メモリ１２１０は１つ以上の磁気ディスク保存装置のような高速ランダムアクセスメモリ及び／又は不揮発性メモリ、１つ以上の光記録装置及び／又はフラッシュメモリ（例えば、ＮＡＮＤ、ＮＯＲ）を含むことができる。
【００５９】
メモリ１２１０はソフトウェアを保存する。ソフトウェア構成要素はオペレーションシステム（ｏｐｅｒａｔｉｎｇ  ｓｙｓｔｅｍ）モジュール１２１１、通信モジュール１２１２、グラフィックモジュール１２１３、ユーザインタフェースモジュール１２１４及びコーデック（ＣＯＤＥＣ）モジュール１２１５、カメラモジュール１２１６、１つ以上のアプリケーションモジュール１２１７などを含む。また、ソフトウェア構成要素であるモジュールは命令の集合で表現できるので、モジュールを命令セット（ｉｎｓｔｒｕｃｔｉｏｎ  ｓｅｔ）と表現することもある。また、モジュールはプログラムで表現することもある。本発明でメモリ１２１０は電子コンテンツと入力された少なくとも１つの表示をともに保存し、抽出された区間の動画を保存し、電子コンテンツと入力されたハイライト表示をともに保存してハイライトリストを生成し、保存されたハイライトリストを呼び出し、保存されたドローイングリストを呼び出す。オペレーションシステムソフトウェア１２１１（例えば、ＷＩＮＤＯＷＳ(登録商標)、ＬＩＮＵＸ(登録商標)、ダーウィン（Ｄａｒｗｉｎ）、ＲＴＸＣ、ＵＮＩＸ(登録商標)、ＯＳ  Ｘ(登録商標)、又はＶｘＷｏｒｋｓのような内蔵オペレーションシステム）は一般的なシステム作動（ｓｙｓｔｅｍ  ｏｐｅｒａｔｉｏｎ）を制御する様々なソフトウェア構成要素を含む。このような一般のシステム作動の制御は、例えば、メモリ管理及び制御、保存ハードウェア（装置）制御及び管理、電力制御及び管理などを意味する。このような運営体制ソフトウェアは様々なハードウェア（装置）とソフトウェア構成要素（モジュール）の間の通信を円滑にする機能も行う。
【００６０】
通信モジュール１２１２は、無線通信サブシステム１２３０、１２３１や外部ポート１２６０を介してコンピュータ、サーバ及び／又は携帯端末など他の電子装置との通信を可能にすることができる。
【００６１】
グラフィックモジュール１２１３はタッチスクリーン１２８０上にグラフィックスを提供して表示するための様々なソフトウェア構成要素を含む。グラフィックス（ｇｒａｐｈｉｃｓ）という用語はテキスト（ｔｅｘｔ）、ウェブページ（ｗｅｂｐａｇｅ）、アイコン（ｉｃｏｎ）、デジタル画像（ｄｉｇｉｔａｌ  ｉｍａｇｅ）、ビデオ（ｖｉｄｅｏ）、アニメーション（ａｎｉｍａｔｉｏｎ）などを含む意味として用いられる。本発明でタッチスクリーン１２８０は、スマートローテーション機能の設定有無に関するメッセージを表示し、メッセージに含まれた任意の領域を選択される。
【００６２】
ユーザインタフェースモジュール１２１４はユーザインタフェースに関連した様々なソフトウェア構成要素を含む。ユーザインタフェースの状態がどのように変更されるか又はユーザインタフェース状態の変更がどのような条件で行われるかなどに関する内容を含む。
【００６３】
コーデックモジュール１２１５はビデオファイルのエンコード及びデコードに関連したソフトウェア構成要素を含むことができる。コーデックモジュールはＭＰＥＧモジュール及び／又はＨ２０４モジュールのようなビデオストリームモジュールを含むことができる。また、コーデックモジュールはＡＡＡ、ＡＭＲ、ＷＭＡなど様々なオーディオファイル用コーデックモジュールを含むことができる。また、コーデックモジュール１２１５は本発明の実施方法に対応する命令セットを含む。
【００６４】
カメラモジュール１２１６はカメラ関連プロセス及び機能を可能にするカメラ関連のソフトウェア構成要素を含む。
【００６５】
アプリケーションモジュール１２１７はブラウザ（ｂｒｏｗｓｅｒ）、Ｅメール（ｅ−ｍａｉｌ）、インスタントメッセージ（ｉｎｓｔａｎｔ  ｍｅｓｓａｇｅ）、ワードプロセス（ｗｏｒｄ  ｐｒｏｃｅｓｓｉｎｇ）、キーボードエミュレーション（ｋｅｙｂｏａｒｄ  ｅｍｕｌａｔｉｏｎ）、電話帳（ａｄｄｒｅｓｓ  ｂｏｏｋ）、接触リスト（ｔｏｕｃｈ  ｌｉｓｔ）、ウィジェット（ｗｉｄｇｅｔ）、デジタル著作権管理（ＤＲＭ：Ｄｉｇｉｔａｌ  Ｒｉｇｈｔ  Ｍａｎａｇｅｍｅｎｔ）、音声認識（ｖｏｉｃｅ  ｒｅｃｏｇｎｉｔｉｏｎ）、音声複製、位置決定機能（ｐｏｓｉｔｉｏｎ  ｄｅｔｅｒｍｉｎｉｎｇ  ｆｕｎｃｔｉｏｎ）、位置情報に基づくサービス（ｌｏｃａｔｉｏｎ  ｂａｓｅｄ  ｓｅｒｖｉｃｅ）などを含む。
【００６６】
また、以上で述べた本発明による電子装置１２００の様々な機能は１つ以上のストリームプロセス（ｐｒｏｃｅｓｓｉｎｇ）及び／又は特定用途向け集積回路（ＡＳＩＣ：Ａｐｐｌｉｃａｔｉｏｎ  Ｓｐｅｃｉｆｉｃ  Ｉｎｔｅｇｒａｔｅｄ  ｃｉｒｃｕｉｔ）を含むハードウェア及び／又はソフトウェア及び／又はこれらの接続で実行されることができる。
【００６７】
以上で説明した本発明は本発明の属する技術分野で通常の知識を有する者によって様々な変形や応用が可能で、本発明による技術的思想の範囲は下記の特許請求の範囲によって定められるべきである。
【符号の説明】
【００６８】
１０１  ハイライトアイコン
１０３  ドローイングアイコン
１０４  星マーク
２０１  ハイライトアイコン
２０６  ハイライトリスト
４０１  ハイライトアイコン
５０１  ドローイングアイコン
１２００  電子装置
１２１０  メモリ
１２１１  オペレーションシステム（ｏｐｅｒａｔｉｎｇ  ｓｙｓｔｅｍ）モジュール
１２１２  通信モジュール
１２１３  グラフィックモジュール
１２１４  ユーザインタフェースモジュール
１２１５  コーデック（ＣＯＤＥＣ）モジュール
１２１６  カメラモジュール
１２１７  アプリケーションモジュール
１２２０  プロセッサユニット（ｐｒｏｃｅｓｓｏｒ  ｕｎｉｔ）
１２２１  メモリインタフェース
１２２２  プロセッサ
１２２３  周辺装置インタフェース（ｐｅｒｉｐｈｅｒａｌ  ｉｎｔｅｒｆａｃｅ）
１２３０  第１無線通信サブシステム
１２３１  第２無線通信サブシステム
１２５０  オーディオサブシステム
１２５１  スピーカ（ｓｐｅａｋｅｒ）
１２５２  マイクロホン
１２６０  外部ポート
１２７０  入出力（ＩＯ：Ｉｎｐｕｔ  Ｏｕｔｐｕｔ）システム
１２７１  タッチスクリーン制御器
１２７２  その他入力制御器
１２８０  タッチスクリーン
１２９０  制御装置
１２９１  モーションセンサ
１２９２  光センサ
１２９３  カメラサブシステム
【図１】
2013222458.tif 000003
【図２Ａ】
2013222458.tif 000004
【図２Ｂ】
2013222458.tif 000005
【図２Ｃ】
2013222458.tif 000006
【図３】
2013222458.tif 000007
【図４】
2013222458.tif 000008
【図５】
2013222458.tif 000009
【図６】
2013222458.tif 000010
【図７Ａ】
2013222458.tif 000011
【図７Ｂ】
2013222458.tif 000012
【図８】
2013222458.tif 000013
【図９Ａ】
2013222458.tif 000014
【図９Ｂ】
2013222458.tif 000015
【図９Ｃ】
2013222458.tif 000016
【図９Ｄ】
2013222458.tif 000017
【図１０Ａ】
2013222458.tif 000018
【図１０Ｂ】
2013222458.tif 000019
【図１０Ｃ】
2013222458.tif 000020
【図１０Ｄ】
2013222458.tif 000021
【図１１】
2013222458.tif 000022
【図１２】
2013222458.tif 000023